【手続補正書】
【提出日】平成17年10月24日(2005.10.24)
【手続補正１】
【補正対象書類名】明細書
【補正対象項目名】特許請求の範囲
【補正方法】変更
【補正の内容】
【特許請求の範囲】
【請求項１】  コンピュータおよびモバイル・デバイス間における双方向処理方法であって、
前記モバイル・デバイスおよび前記コンピュータ上に識別子を格納するステップと、
前記モバイル・デバイスの識別子を基準として、前記コンピュータ上に１組の設定値を格納するステップと、
複数の接続方法から、前記モバイル・デバイス上で接続方法を選択するステップと、
前記選択した接続方法にしたがって、前記モバイル・デバイスおよび前記コンピュータ間に前記接続を形成するステップと、
前記モバイル・デバイスの前記コンピュータへの接続時に、前記モバイル・デバイス上に格納してある前記識別子を、前記コンピュータ上に格納してある前記識別子と比較するステップと、
対応する識別子が発見された場合、前記格納した１組の設定値の関数として、前記モバイル・デバイスおよび前記コンピュータ間における双方向処理を制御するステップと
から成ることを特徴とする方法。
【請求項２】  請求項１に記載の方法において、前記複数の接続方法がローカル接続を含むことを特徴とする方法。
【請求項３】  請求項１または２に記載の方法において、前記複数の接続方法がリモート接続を含むことを特徴とする方法。
【請求項４】  請求項１、２または３に記載の方法であって、更に、前記複数の接続方法を前記モバイル・デバイス上に表示するステップを含むことを特徴とする方法。
【請求項５】  請求項１乃至４のいずれかに記載の方法であって、更に、接続する複数のコンピュータから前記コンピュータを選択するステップを含むことを特徴とする方法。
【請求項６】  請求項１乃至５のいずれかに記載の方法であって、更に、前記接続がリモート接続である場合、前記コンピュータにおいてユーザ・インターフェースを抑制するステップを含むこと特徴とする方法。
【請求項７】  第１コンピュータを第２コンピュータに接続してある場合の前記第１コンピュータおよびモバイル・デバイス間における双方向処理方法であって、
前記モバイル・デバイスおよび前記第１コンピュータ上に識別子を格納するステップと、
前記モバイル・デバイス上の識別子を基準として、前記第１コンピュータ上に１組の設定値を格納するステップと、
前記モバイル・デバイスを第２コンピュータに接続するステップと、
前記第２コンピュータを介して、前記モバイル・デバイスおよび前記第１コンピュータ間で通信を行うステップと、
前記格納したそれぞれの組の設定値の関数として、前記モバイル・デバイスおよび前記第１コンピュータ間の双方向処理を制御するステップと
から成ることを特徴とする方法。
【請求項８】  請求項７に記載の方法において、前記第１コンピュータおよび前記第２コンピュータがネットワークの一部であることを特徴とする方法。
【請求項９】  双方向処理コンピュータ・システムであって、
識別子を格納してあるモバイル・デバイスと、
前記モバイル・デバイスとの通信のためにこれに選択的に結合する、階層状アーキテクチャの通信インターフェースを有するコンピュータであって、該階層状アーキテクチャ通信インターフェースが、リモート接続およびローカル接続を形成するように構成してあり、前記コンピュータが、前記識別子を基準とする１組の設定値を含み、前記モバイル・デバイスの前記コンピュータへの接続時に、前記コンピュータが、前記モバイル・デバイス上に格納してある前記識別子を前記コンピュータ上に格納してある前記識別子と比較し、対応する識別子が発見された場合、前記格納した１組の設定値の関数として、前記接続したモバイル・デバイスおよび前記コンピュータ間の双方向処理を制御する、コンピュータと
を備えることを特徴とする双方向処理コンピュータ・システム。
【請求項１０】  請求項９に記載のシステムにおいて、前記コンピュータをネットワークに接続し、前記コンピュータが、前記ネットワークを通じた前記モバイル・デバイスの前記コンピュータへの接続を選択的に可能にする手段を含むことを特徴とするシステム。
【請求項１１】  請求項９または１０に記載のシステムにおいて、前記コンピュータが、シリアル接続を介して前記モバイル・デバイスに接続可能であり、前記コンピュータが、前記シリアル接続を通じた前記モバイル・デバイスの前記コンピュータへの接続を選択的に可能にする手段を含むことを特徴とするシステム。
【請求項１２】  請求項９、１０または１１に記載のシステムにおいて、前記コンピュータをネットワークに接続し、前記コンピュータが、前記ネットワークを通じた前記モバイル・デバイスの前記コンピュータへの接続を選択的に可能にする手段を含むことを特徴とするシステム。
【請求項１３】  請求項９乃至１２のいずれかに記載のシステムにおいて、前記モバイル・デバイスが、複数のコンピュータから前記コンピュータを選択する手段を含むことを特徴とするシステム。
【請求項１４】  請求項９乃至１３のいずれかに記載のシステムにおいて、前記モバイル・デバイスが、複数の接続方法から１つの接続方法を選択する手段を含むことを特徴とするシステム。
【請求項１５】  デスクトップ・コンピュータおよびモバイル・デバイス間に柔軟な通信接続を設ける方法であって、前記デスクトップ・コンピュータおよび前記モバイル・デバイスが予めパートナーシップを確立している際に、
前記モバイル・デバイスを介して、前記デスクトップ・コンピュータおよび前記モバイル・デバイスを接続する通信方法を選択するステップであって、該通信方法を、リモート接続およびローカル接続双方を含む複数の方法から選択する、ステップと、
前記モバイル・デバイスとパートナーシップを有するデスクトップ・コンピュータのリストから、デスクトップ・コンピュータを選択するステップと、
前記選択したデスクトップ・コンピュータへの接続が存在するか否かについて判定を行い、存在する場合、前記選択した通信方法を呼び出すステップと
から成ることを特徴とする方法。
【請求項１６】  請求項１５に記載の方法であって、更に、前記選択したデスクトップ・コンピュータおよび前記モバイル・デバイス間にパートナーシップが存在することを検証するステップを含むことを特徴とする方法。
【請求項１７】  請求項１５または１６に記載の方法であって、更に、前記選択した通信方法がリモート接続である場合、前記デスクトップ・コンピュータ上のユーザ・インターフェースを抑制するステップを含むことを特徴とする方法。
【請求項１８】  請求項１５、１６または１７に記載の方法であって、更に、前記選択した通信方法がリモート接続である場合、前記デスクトップ・コンピュータ上のエラー・メッセージを抑制するステップを含むことを特徴とする方法。
【請求項１９】  請求項１５乃至１８のいずれかに記載の方法であって、更に、前記接続の完成時に、アクティビティ報告を表示するステップを含むことを特徴とする方法。
【請求項２０】  請求項１５乃至１９のいずれかに記載の方法において、前記判定するステップが、前記選択したデスクトップ・コンピュータに接続してある中間コンピュータにアクセスするステップを含むことを特徴とする方法。
【請求項２１】  請求項１５乃至２０のいずれかに記載の方法において、通信方法を選択する前記ステップが、特定の通信方法が通信可能か否かについて判定し、該特定の通信方法が使用可能な場合、この特定の方法を選択肢として自動的に与えるステップを含むことを特徴とする方法。
【請求項２２】  請求項１５乃至２１のいずれかに記載の方法において、前記判定するステップが、前記選択したデスクトップ・コンピュータを接続してあるネットワークにアクセスするステップを含むことを特徴とする方法。
【請求項２３】  請求項１７乃至２２のいずれかに記載の方法であって、更に、ユーザ・インタラクションの検出時に、前記コンピュータと、抑制しないユーザ・インターフェースとの間のユーザ・インタラクションを検出するステップを含むことを特徴とする方法。